(57)【要約】【課題】衣類をハンガーに掛けて上下２段の吊り下げ状態でロールボックスパレットに格納して輸送する場合、上段の衣類の裾が下段のハンガーバーに干渉しないようにして折れシワや擦れや型崩れ等の発生を防止する。【解決手段】ハンガーバーＡは、それぞれ左右格子枠の外枠頂部２０・２１間に上段ハンガーバーＡ１を掛け渡す一方、上段ハンガーバーに対して一対の下段ハンガーバーＡ２を十字に交差させて、背面の格子枠に有する横桟１２ａと正面１３に付設するバー係止具Ｃとの間に掛け渡す。たとえ衣類Ｆをハンガーバーにハンガーａのフック部ｆを掛けて上下２段に吊り下げて格納しても、上段の衣類を下段のハンガーバーの吊代空間Ｓに逃がすことにより無駄なスペースも有効に活用し、上段の衣類の裾５５が下段ハンガーバーに干渉するのを防止する。【選択図】        図１
2015037958.tif 000002
【特許請求の範囲】
【請求項１】
ロールボックスパレットに、ハンガーバーと、バー係止具とを付設した衣類輸送用ハンガーボックスであって、
前記ロールボックスパレットは、左右両側面と背面の３面を格子枠で形成する一方、上方を開放し、正面に開閉式の前記バー係止具を横架した有底のかご台車からなり、
前記ハンガーバーは、左右格子枠の外枠頂部間に一対の上段ハンガーバーを掛け渡す一方、上段ハンガーバーに対して一対の下段ハンガーバーを十字に交差させて、背面の格子枠に有する横桟と、正面に横架した前記バー係止具との間に掛け渡してなることを特徴とする、衣類輸送用ハンガーボックス。
【請求項２】
前記ハンガーバーは、断面円形のパイプ部の長さ方向に沿って外周面からラックを突設し、そのハンガーのフック部を引っ掛ける前記ラックの歯溝の深さを、前記ハンガーのフック部の軸径より深く形成してなることを特徴とする、請求項１に記載の衣類輸送用ハンガーボックス。
【請求項３】
前記ハンガーバーは、ハンガー押えを備え、そのハンガー押えには、前記ハンガーバーの前記ラックの歯が貫通する噛合穴を長さ方向に並べて設け、衣類を掛けた前記ハンガーのフック部を前記ハンガーバーのラックの歯溝に引っ掛けてから、前記噛合穴に前記ラックの歯を噛ませて後に、拘束バンドでバー本体と前記ハンガー押えとの間に挟んだ前記ハンガーのフック部を巻き締めて封緘してなることを特徴とする、請求項１又は２に記載の衣類輸送用ハンガーボックス。
【発明の詳細な説明】
【技術分野】
【０００１】
本発明は、かご台車と呼ばれるロールボックスパレットに改良を加えた荷役補助手段で、ハンガーに衣類を掛けて吊り下げ状態のまま輸送する衣類輸送用ハンガーボックスに関する。
【背景技術】
【０００２】
たとえば紳士服や婦人服などの衣類をアパレル商品として衣料品メーカーから問屋へ、更に問屋から各販売店へ輸送する場合は、宅配便を利用し、衣類を折り畳んで箱詰めし、或いは袋詰めするため、輸送中に簡単に消えない折り畳みしわが発生したり、型崩れしたりする問題があった。
【０００３】
そこで、従来、衣類を運ぶ場合は、例えば図１６（ａ）に示すように、周知のロールボックスパレット１を利用した衣類運送用コンテナを用い、その左右側面１ａ・１ｂの格子枠において、外枠上部２・２間と、外枠中段３・３間にそれぞれハンガーバー４を上下平行に掛け渡し、それらハンガーバー４にハンガー５のフック部５ａを引っ掛けて衣類６を上下２段の吊り下げ状態で格納し、この衣類運送用コンテナを数台トラックに積載して輸送している（特許文献１参照）。
【先行技術文献】
【特許文献】
【０００４】
【特許文献１】特開２００６−２９０４４０号公報
【発明の概要】
【発明が解決しようとする課題】
【０００５】
しかし、既存のロールボックスパレット（内寸高:175cm）１を利用した衣類運送用コンテナ内に衣類、例えば紳士服の標準サイズ（A体6号:着丈77cm）を、ハンガーバー４にハンガー５のフック部５ａを引っ掛けて上下２段掛けの吊り下げ状態にして収納すると、図１６（ｂ）に示すように、ハンガー５の吊代（約13cm）分だけ高さ方向に無駄にスペースＳを取られるため、上段の上着の裾７が下段のハンガーバー４に干渉してしまって折れシワや擦れや型崩れなどが発生していた。
【０００６】
そこで、本発明の目的は、衣類をハンガーに掛けて上下２段の吊り下げ状態でロールボックスパレットに格納して輸送する場合、上段の衣類の裾が下段のハンガーバーに干渉しないようにして折れシワや擦れや型崩れ等の発生を防止することにある。
【課題を解決するための手段】
【０００７】
そのため、請求項１に記載の発明は、たとえば以下に図面を用いて説明する実施の形態に示すとおり、ロールボックスパレットＰに、ハンガーバーＡと、バー係止具Ｃとを付設した衣類輸送用ハンガーボックスＲであって、前記ロールボックスパレットＰは、左右両側面１０・１１と背面１２の３面を格子枠で形成する一方、上方を開放し、正面１３に開閉式の前記バー係止具Ｃを横架した有底のかご台車からなり、ハンガーバーＡは、左右格子枠の外枠頂部２０・２１間に一対の上段ハンガーバーＡ１を掛け渡す一方、上段ハンガーバーＡ１に対して一対の下段ハンガーバーＡ２を十字に交差させて、背面１２の格子枠に有する横桟１２ａと、正面１３に横架した前記バー係止具Ｃとの間に掛け渡してなることを特徴とする。
【０００８】
請求項２に記載の発明は、請求項１に記載の衣類輸送用ハンガーボックスＲにおいて、たとえば以下に図面を用いて説明する実施の形態に示すとおり、ハンガーバーＡは、断面円形のパイプ部２５ａ・３０ａの長さ方向に沿って外周面からラック２５ｂ・３０ｂを突設し、そのハンガーａのフック部ｆを引っ掛ける前記ラック２５ｂ・３０ｂの歯溝２４・４０の深さｄを、前記ハンガーａのフック部ｆの軸径より深く形成してなることを特徴とする。
【０００９】
請求項３に記載の発明は、請求項１又は２に記載の衣類輸送用ハンガーボックスＲにおいて、たとえば以下に図面を用いて説明する実施の形態に示すとおり、前記ハンガーバーＡは、ハンガー押えＢを備え、そのハンガー押えＢには、前記ハンガーバーＡの前記ラック２５ｂ・３０ｂの歯２３・３９が貫通する噛合穴５０を長さ方向に並べて設け、衣類Ｆを掛けた前記ハンガーａのフック部ｆを前記ハンガーバーＡのラック２５ｂ・３０ｂの歯溝２４・４０に引っ掛けてから、前記噛合穴５０に前記ラック２５ｂ・３０ｂの歯２３・３９を噛ませて後に、拘束バンド５９でバー本体２５と前記ハンガー押えＢとの間に挟んだ前記ハンガーａのフックｆを巻き締めて封緘してなることを特徴とする。
【発明の効果】
【００１０】
請求項１に記載の発明によれば、ハンガーバーは、左右格子枠の外枠頂部間に一対の上段ハンガーバーを掛け渡す一方、上段ハンガーバーに対して一対の下段ハンガーバーを十字に交差させて、背面の格子枠に有する横桟と正面に付設するバー係止具との間に掛け渡して横架する構成だから、たとえ衣類をハンガーバーにハンガーのフック部を掛けて上下２段に吊り下げて格納しても、上段の衣類を下段のハンガーバーの吊代空間に逃がすことにより無駄なスペースも有効に活用し、上段の衣類の裾が下段のハンガーバーに干渉するのをなくし、これにより、衣類に折れシワや擦れや型崩れ等が発生するのを防止することができる。
【００１１】
請求項２に記載の発明によれば、衣類はハンガーに掛けて、そのフック部をハンガーバーに引っ掛けて吊り下げ状態で格納するが、ハンガーバーには、パイプ部の長さ方向に沿って外周面からラックを突設し、そのハンガーのフック部を引っ掛けるラックの歯溝の深さを、ハンガーのフック部の軸径より深く形成するから、ハンガーバーのラックに掛けた多数のハンガー相互の接触を規制し、これにより、輸送中の衝撃や傾きなどが原因で衣類が一部に偏って圧迫し合うことによりシワが発生するのを防止することができる。
【００１２】
ところで、ハンガーバーに引っ掛けたハンガーは、たとえばトラック輸送中の揺れや衝撃等により上方に跳ね上がってハンガーバーから脱落することも考えられる。しかし、請求項３に記載の発明によれば、ハンガーバーにハンガー押えを備え、そのハンガー押えには、ハンガーバーのラックの歯が貫通する噛合穴を長さ方向に並べて設け、衣類を掛けたハンガーのフック部をハンガーバーのラックの歯溝に引っ掛けてから、噛合穴にラックの歯を噛ませて後に、結束バンドでバー本体とハンガー押えとの間に挟んだハンガーのフック部を巻き締めて封緘するから、輸送中に、たとえ衣類を掛けたハンガーが跳ね上がろうとしても、ハンガー押えに押えられてハンガーバーから脱落するのを簡単に且つ確実に防止することができる。その後、届け先に到着し、衣類をハンガーバーから取り外すときは、結束バンドをカットしてから、ハンガー押えを持ち上げ、ラックの歯と噛合穴との噛み合いを外すだけでハンガーバーから簡単に取り外すことができる。
【図面の簡単な説明】
【００１３】
【図１】本発明の一例である衣類輸送用ハンガーボックスを使用状態において示す斜視図である。
【図２】ハンガーボックスを示す正面図である。
【図３】ハンガーボックスを示す左側面図である。
【図４】ハンガーボックスを示す右側面図である。
【図５】ハンガーボックスを示す背面図である。
【図６】ハンガーボックスの図２中線Ａ−Ａ矢視図である。
【図７】（ａ）ハンガー押えを噛ませた上段ハンガーバーを示す平面図（ｂ）正面図（ｃ）側面図（ｄ）（ａ）図中線Ｘ―Ｘ断面図である。
【図８】（ａ）図２中Ｂ部拡大平面図（ｂ）側面図（ｃ）正面図である。
【図９】ハンガーボックスを、ハンガーバーにハンガーを掛ける状態において示す斜視図である。
【図１０】ハンガーを掛けたハンガーバーのラックにハンガー押えの噛合穴を噛ませる状態において示すハンガーボックスの斜視図である。
【図１１】（ａ）ハンガー押えを噛ませた下段ハンガーバーを示す平面図（ｂ）正面図（ｃ）側面図（ｄ）（ａ）図中線Ｙ―Ｙ断面図である。
【図１２】（ａ）図４中Ｃ部拡大平面図（ｂ）側面図（ｃ）正面図である。
【図１３】（ａ）図４中Ｄ部拡大側面図（ｂ）正面図である。
【図１４】バー係止具を示す正面図である。
【図１５】本発明の衣類輸送用ハンガーボックスを、衣類を上下２段に吊り下げて格納した状態において示す概略説明図である。
【図１６】（ａ）従来の衣類運送用コンテナを、衣類を上下２段に吊り下げて格納した状態において示す概略説明図（ｂ）課題を説明する概略説明図である。
【発明を実施するための形態】
【００１４】
以下、図面を参照しつつ、本発明を実施するための形態につき詳細に説明する。
【００１５】
図１に、本発明の一例である衣類輸送用ハンガーボックスを使用状態において示す。図示例のハンガーボックスＲは、本体のかご台車と呼ばれるロールボックスパレットＰに、ハンガーバーＡと、ハンガー押えＢと、バー係止具Ｃを付設して改良した衣類Ｆの輸送に用いる荷役補助手段である。
【００１６】
ロールボックスパレットＰは、左右両側面１０・１１と背面１２の３面をそれぞれ格子枠で形成する一方、上方は開放し、正面１３には規制バー１４を備え、全体にやや縦長な（内寸高：175cm）矩形箱状に組み立ててなる。
【００１７】
ハンガーバーＡは、それぞれ左右格子枠の外枠頂部２０・２１間に掛け渡す一対の上段ハンガーバーＡ１と、上段ハンガーバーＡ１に対して十字に交差し、背面１２の格子枠に有する横桟１２ａと正面１３に付設するバー係止具Ｃとの間に掛け渡す一対の下段ハンガーバーＡ２とからなる。
【００１８】
上段ハンガーバーＡ１は、図７および図８に示すように、左右側面１０・１１間の間隔に対応する長さのバー本体２５を備え、そのバー本体２５の一端に固定グリップ２６を固定する一方、他端には長さ方向にスライド可能に可動グリップ２７を連結している。バー本体２５は、断面円形のパイプ部２５ａと、パイプ部２５ａの長さ方向に沿って外周面から突設するラック２５ｂとからなる。ラック２５ｂは、図９に示すように、パイプ部２５ａと対応する長さの金属プレートをプレスで曲げてつくり、パイプ部２５ａの曲面形状に対応して断面円弧状に屈曲した取付カバー２５ｃを有し、その取付カバー２５ｃの長さ方向に間隔を置いて一部を曲げ起こして歯２３と歯溝２４を交互に連設してなる。歯２３は、取付カバー２５ｃの曲げ起し部分を折り重ねて取付カバー２５ｃ上で一直線上に立設する。ハンガーａのフック部ｆを引っ掛けるラック２５ｂの歯溝２４の深さｄは、市販のハンガーａのフック部ｆの軸径より高く形成する。
【００１９】
固定グリップ２６および可動グリップ２７は、図７および図８に示すように、断面コ形に折り曲げ、その取付板部２６ａ・２７ａと対向する掛止め板部２６ｂ・２７ｂの先端を¬状に屈曲させて外れ止めリブ２６ｃ・２７ｃを凸設している。外れ止めリブ２６ｃ・２７ｃには、左右側面１０・１１の縦桟１０ａ・１１ａが係合可能な複数の切欠き穴２８を間隔をあけて並設する。可動グリップ２７には、取付板部２７ａにパイプ部２５ａの一端に係合可能に細径な連結軸２９を固着する。
【００２０】
そこで、上段ハンガーバーＡ１は、バー本体２５のパイプ部２５ａの他端に、取付板部２６ａにおいて固定グリップ２６を固着する一方、パイプ部２５ａの一端にはスライド可能に連結軸２９を嵌合して長さ微調整可能とすると共に、その連結軸２９と可動グリップ２７に上からカンヌキ杆（図示省略）を差し通して連結軸２９に可動グリップ２７を着脱自在に連結する。カンヌキ杆は、紛失しないようにボールチェーン１６で可動グリップ２７に繋いでいる。
【００２１】
下段ハンガーバーＡ２は、図１１に示すように、それぞれ左右側面１０・１１の幅サイズに対応する長さのバー本体３０と、バー本体３０の一端に取り付ける連結フック３１と、他端に取り付ける連結管３２を備える。バー本体３０は、断面円形のパイプ部３０ａと、パイプ部３０ａの長さ方向に沿って外周面から突設するラック３０ｂからなる。ラック３０ｂは、パイプ部３０ａと対応する長さの金属プレートをプレスで曲げてつくり、パイプ部３０ｂの曲面形状に対応して断面円弧状に屈曲した取付カバー３０ｃと、取付カバー３０ｃの長さ方向に間隔を置いて一部を曲げ起こして歯３９と歯溝４０を交互に連設する。歯３９は、上段ハンガーバーＡ１と同様、取付カバー３０ｃの曲げ起し部分を折り重ねて取付カバー３０ｃ上で一直線上に立設する。ハンガーａのフック部ｆを引っ掛けるラック２５ｂの歯溝２４の深さｄは、市販のハンガーａのフック部ｆの軸径より高く形成する。
【００２２】
連結フック３１は、図１１および図１２に示すように、左右側面１０・１１の中段横桟１０ｂ・１１ｂに係合可能な大きさの断面Ｌ型に金属板を曲げてつくり、取付板部３１ａと対向する掛止め板部３１ｂの先端に受止めリブ３１ｃを¬状に曲げて凸設する。そして取付板部３１ａに背面１２の縦桟３３が係合可能な逃げ溝３４を間隔をあけて並設する。連結管３２は、図１１および図１３に示すように、先端部側をコ形に曲げた取付板片３２ａと、先端側をＬ型に曲げた受け板片３２ｂとを備え、互いの基端部を重ねて先端側に管部１８を形成し、蝶ボルト３７とナット３８で分解可能に締結する。
【００２３】
そこで、下段ハンガーバーＡ２は、バー本体３０のパイプ部３０ａの一端に取付板部３１ａにおいて連結フック３１を固着する一方、パイプ部３０ａの他端に取付板片３２ａにおいて連結管３２を固着する。
【００２４】
ハンガー押えＢは、図７、図８および図１０に示すように、ハンガーバーＡ（Ａ１・Ａ２）のパイプ部２５ａ・３０ａの曲面形状に対応して断面円弧形に屈曲した樋形金具で、ハンガーバーＡのラック２５ｂ・３０ｂの歯２３・３９が貫通する同じ数の噛合穴５０…を長さ方向一直線上に穿設してなる。
【００２５】
そこで、ハンガー押えＢは、ハンガーバーＡのラック２５ｂ・３０ｂに有する歯溝２４・４０に、衣類Ｆを掛けたハンガーａのフック部ｆを引っ掛けた後に、噛合穴５０…に歯２３・３９が貫通するように噛ませてから、結束バンド５９で巻き締めて封緘する構造になっている。
【００２６】
バー係止具Ｃは、金属パイプ材からなり、図１、図２および図１４に示すように、左右側面１０・１１の幅サイズに対応する長さの支持パイプ部４１と、両端４５ａ・４５ｂを湾曲させて支持パイプ部４１と一体に接続した係合アーム部４５とからなる。支持パイプ部４１は、その一端４１ａをかしめて平坦に形成し、その平坦部分の中心に軸挿通穴を設ける一方、他端４１ｂには係合凹部を設けてなる。係合アーム部４５には、両端寄りにそれぞれ外周に一対ずつ一段太径な環状突部４５ｃ・４５ｄを間に間隔をあけて設け、その間に係合させた下段ハンガーバーＡ２の連結管３２・３２がずれないように規制する。
【００２７】
このバー係止具Ｃは、支持パイプ部４１の一端４１ａを、左側面１０の正面側縦枠４６の中段位置に装着した第１樹脂ホルダ４７に連結する一方、他端４１ｂは右側面１１の正面側縦枠４８の中段位置に装着した第２樹脂ホルダ４９に連結して正面側の左右縦枠４６・４８間に保持する。第１樹脂ホルダ４７は、コ形リング５１を着脱可能にねじ止めして装着し、コ形リング５１を軸挿通穴に係合させて支持パイプ部４１の一端４１ａを連結する。第２樹脂ホルダ４９は、支持パイプ部４１の他端４１ｂに有する係合凹部を係脱自在に掛け止める掛止め凸部を設ける。そして、バー係止具Ｃは、支持パイプ部４１の他端４１ｂの係合凹部を掛止め凸部に対して係脱させて正面１３を開閉する。
【００２８】
この正面側に備える規制バー１４は、図１および図２に示すように、背面１２の幅サイズに対応する長さの金属パイプ材からなり、一端１４ａをかしめて平坦に形成し、その平坦部分の中心に軸挿通穴を設ける一方、他端１４ｂには係合凹部を設ける。
【００２９】
規制バー１４は、一端１４ａを右側面１１の正面側縦枠４８の上段位置に装着した第２樹脂ホルダ４９に連結する一方、他端１４ｂは左側面１０の正面側縦枠４６の上段位置に装着した第１樹脂ホルダ４７に連結し、バー係止具Ｃの上側において、正面側の左右縦枠４６・４８間に保持する。そして、規制バー１４は、その他端１４ｂに有する係合凹部を第１樹脂ホルダ４７の掛止め凸部に対し係脱させて正面１３を開閉する。
【００３０】
さて、上述した構成部品からなるハンガーボックスＲを用いて衣類Ｆ、例えば紳士服の標準サイズ（Ａ体６号：着丈７７ｃｍ）を、届け先まで輸送する場合には、図示省略するが、ロールボックスパレットＰの上方と正面１３を除いて段ボールを内張して養生を済ませてから、図１および図９に示すように、衣類Ｆを掛けたハンガーａのフック部ｆを、ハンガーバーＡ（Ａ１・Ａ２）上にあるラック２５ｂ・３０ｂの歯溝２４・４０に引っ掛けて、衣類ＦをハンガーバーＡの上段ハンガーバーＡ１と下段ハンガーバーＡ２に掛けて上下２段に吊り下げる。それから、衣類ＦをハンガーバーＡに掛けて吊り下げると、図１０に示すように、上段ハンガーバーＡ１と下段ハンガーバーＡ２のバー本体２５・３０にハンガー押えＢを上から重ね合わせ、噛合穴５０…にラック２５ｂ・３０ｂの歯２３・３９を…それぞれ貫通するように噛ませてから、結束バンド５９でバー本体２５・３０とハンガー押えＢ間に挟んだハンガーａのフック部ｆを巻き締めて封緘する。
【００３１】
こうしてロールボックスパレットＰ内で十字に交差させて上下に横架したハンガーバーＡの上段ハンガーバーＡ１と下段ハンガーバーＡ２の上下２段に衣類Ｆを吊り下げた状態で収納する。それから、規制バー１４の他端１４ｂに有する係合凹部を係止した第１樹脂ホルダ４７の掛止め凸部から外して正面１３を閉じることにより出入りを規制する。
【００３２】
しかる後、衣類Ｆを格納したハンガーボックスＲは、図示省略したが、全体を専用カバーで覆って衣類Ｆを保護してから、そのまま倉庫に保管し、或いは数台をそのままトラックに積載して届け先に輸送する。届け先では、規制バー１４の他端１４ｂにある係合凹部を第１樹脂ホルダ４７の掛止め凸部から外して正面１３を開けて出し入れ規制を解除し、ハンガーバーＡから衣類Ｆをハンガーａごと取り外して客先に引き渡す。ハンガーボックスＲから荷卸をして商品であれば、取り出してそのまま店頭に陳列することができる。
【００３３】
本発明のハンガーボックスＲにおいて、ハンガーバーＡは、左右格子枠の外枠頂部２０・２１間に一対の上段ハンガーバーＡ１を掛け渡す一方、上段ハンガーバーＡ１に対して一対の下段ハンガーバーＡ２を十字に交差させて、背面１２の格子枠に有する横桟１２ａと、正面１３に付設するバー係止具Ｃとの間に掛け渡して横架する構成だから、図１５に示すように、たとえ衣類ＦをハンガーバーＡにハンガーａのフック部ｆを掛けて上下２段に吊り下げて格納しても、上段の衣類Ｆの裾５５を下段のハンガーバーＡ２の吊代空間Ｓに逃がすことにより無駄なスペースも有効に活用し、上段の衣類Ｆの裾５５が下段のハンガーバーＡ２に干渉するのをなくし、これにより、衣類Ｆに折れシワや擦れや型崩れ等が発生するのを防止することができる。
【００３４】
本発明のハンガーボックスＲでは、衣類Ｆをハンガーａに掛けて、そのフック部ｆをハンガーバーＡに引っ掛けて衣類Ｆを吊り下げ状態で格納するが、ハンガーバーＡには、パイプ部２５ａ・３０ａの長さ方向に沿って外周面からラック２５ｂ・３０ｂを突設し、そのハンガーａのフック部ｆを引っ掛けるラック２５ｂ・３０ｂの歯溝２４・４０の深さｄを、ハンガーａのフック部ｆの軸径より深く形成するから、ハンガーバーＡのラック２５ｂ・３０ｂに掛けた多数のハンガーａ…相互の接触を規制し、これにより、輸送中の衝撃や傾きなどが原因で衣類Ｆが一部に偏って圧迫し合うことによりシワが発生するのを防止することができる。
【００３５】
ところで、ハンガーバーＡに引っ掛けたハンガーａは、たとえばトラック輸送中の揺れや衝撃等により上方に跳ね上がってハンガーバーＡから脱落することも想定されるが、本発明のハンガーボックスＲには、ハンガーバーＡにハンガー押えＢを備え、ハンガー押えＢは、ハンガーバーＡのラック２５ｂ・３０ｂが歯２３・３９毎に貫通する噛合穴５０を長さ方向に並べて設け、衣類Ｆを掛けたハンガーａのフック部ｆをハンガーバーＡのラック２５ｂ・３０ｂの歯溝２５ｃ・３０ｃに引っ掛けてから、噛合穴５０にラック２５ｂ・３０ｂの歯２３・３９を噛ませて後に、結束バンド５９でバー本体２５・３０とハンガー押えＢ間に挟んだハンガーａのフック部ｆを巻き締めて封緘するから、輸送中に、たとえ衣類Ｆを掛けたハンガーａが跳ね上がろうとしても、ハンガー押えＢに押えられてハンガーバーＡから脱落するのを簡単に且つ確実に防止することができる。
【００３６】
その後、届け先に到着し、衣類ＦをハンガーバーＡから取り外すときは、結束バンド５９をカットしてから、ハンガー押えＢを持ち上げて、図９に示すように、ラック２５ｂ・３０ｂの歯２３・３９と噛合穴５０の噛み合いを外すだけでハンガーバーＡから簡単に取り外すことができる。そして、ハンガーａに掛けたまま衣類Ｆを取り出して客先に引き渡す。
【００３７】
なお、図示例では、ハンガー押えＢをハンガーバーＡから取り外すとき、ハンガー押えＢの内周面とハンガーバーＡの外周面が密着して取り外しの障害になることがある。そこで、本発明では、間にウレタン樹脂材やスポンジ材等からなる隔壁材を介在させてハンガー押えＢとハンガーバーＡとが密着しないようにしてハンガー押えＢをスムーズにハンガーバーＡから着脱させることができる。
【００３８】
上述した図示実施形態では、標準サイズ（A体6号:着丈77cm）の紳士服を衣類ＦとしてハンガーバーＡの上段ハンガーバーＡ１と下段ハンガーバーＡ２に掛けて上下２段に吊り下げて格納した。しかし、本発明は、着丈の小さい子供服や幼児服など衣類のサイズによっては上下２段以上に衣類Ｆを吊り下げて格納する衣類輸送用ハンガーボックスにも適用することができる。
【符号の説明】
【００３９】
Ａ                ハンガーバー
Ａ１              上段ハンガーバー
Ａ２              下段ハンガーバー
Ｂ                ハンガー押え
Ｃ                バー係止具
Ｆ                衣類
Ｐ                ロールボックスパレット
Ｒ                衣類輸送用ハンガーボックス
ａ                ハンガー
ｆ                フック部
２３・３９        ラックの歯
２４・４０        歯溝
２５・３０        バー本体
２５ａ・３０ａ    パイプ部
２５ｂ・３０ｂ    ラック
５０              噛合穴
５９              拘束バンド
【図１】
2015037958.tif 000003
【図２】
2015037958.tif 000004
【図３】
2015037958.tif 000005
【図４】
2015037958.tif 000006
【図５】
2015037958.tif 000007
【図６】
2015037958.tif 000008
【図７】
2015037958.tif 000009
【図８】
2015037958.tif 000010
【図９】
2015037958.tif 000011
【図１０】
2015037958.tif 000012
【図１１】
2015037958.tif 000013
【図１２】
2015037958.tif 000014
【図１３】
2015037958.tif 000015
【図１４】
2015037958.tif 000016
【図１５】
2015037958.tif 000017
【図１６】
2015037958.tif 000018